(57)【要約】【課題】一部の画素に対応付けられた色むら補正値を用いて色むらを補正する場合に、色むら補正の精度を向上させる。【解決手段】画像データ３０３Ｒ、３０３Ｇ、３０３Ｂの一部の画素に対応する色むら補正値を補間演算して、画像データ３０３Ｒ、３０３Ｇ、３０３Ｂの各画素に対応する色むら補正値を算出する補間演算回路１４５と、画像データ３０３Ｒ、３０３Ｇ、３０３Ｂに対して、補間演算回路１４５が算出した色むら補正値を用いて色むらを補正する補正回路１４７とを備え、補正回路１４７は、画像データ３０３Ｒ、３０３Ｇ、３０３Ｂの少なくとも一部に適用される色むら補正値を時間的に変化させる。【選択図】図２
2016156912.tif 000002
【特許請求の範囲】
【請求項１】
入力画像の一部の画素に対応する色むら補正値を補間演算して、前記入力画像の各画素に対応する色むら補正値を算出する演算部と、
前記入力画像に対して、前記演算部が算出した色むら補正値を用いて色むらを補正する補正部と、を備え、
前記補正部は、前記入力画像の少なくとも一部に適用される色むら補正値を時間的に変化させることを特徴とする画像処理装置。
【請求項２】
前記補正部は、前記入力画像を構成する画素のうち、適用される色むら補正値が変化する境界領域の画素において、前記色むら補正値を時間的に変化させることを特徴とする請求項１記載の画像処理装置。
【請求項３】
前記補正部は、前記演算部が算出した色むら補正値と、前記色むら補正値を適用する前記入力画像の画素との対応を変更することを特徴とする請求項１又は２記載の画像処理装置。
【請求項４】
前記補正部は、前記入力画像のフレームに対して色むら補正を行い、
前記演算部が算出した色むら補正値と、前記色むら補正値を適用する前記入力画像の画素との対応を時間的に変化させることを特徴とする請求項１から３のいずれか一項記載の画像処理装置。
【請求項５】
前記演算部が算出した色むら補正値と、前記色むら補正値を適用する前記入力画像の画素との対応を、予め設定されたフレーム数の前記フレームごとに変更することを特徴とする請求項４記載の画像処理装置。
【請求項６】
前記補正部は、予め設定された範囲の階調値の画素に割り当てる色むら補正値を時間的に変化させ、
予め設定された範囲は、前記入力画像の階調の変化に対応する、前記入力画像を表示させる表示パネルを構成する画素の輝度値の変化が予め設定された条件を満たす範囲であることを特徴とする請求項１から５のいずれか一項に記載の画像処理装置。
【請求項７】
前記入力画像の一部の画素に対応する色むら補正値を記憶するルックアップテーブルを備えることを特徴とする請求項１から６のいずれか一項に記載の画像処理装置。
【請求項８】
入力画像の一部の画素に対応する色むら補正値を補間演算して、前記入力画像の各画素に対応する色むら補正値を算出する演算部と、
前記入力画像に対して、前記演算部が算出した色むら補正値を用いて色むらを補正する補正部と、を備える画像処理部と、
前記画像処理部で処理された前記入力画像を表示パネルに表示させる表示部と、を備え、
前記補正部は、前記入力画像の少なくとも一部に適用される色むら補正値を時間的に変化させることを特徴とする表示装置。
【請求項９】
入力画像の一部の画素に対応する色むら補正値を補間演算して、前記入力画像の各画素に対応する色むら補正値を算出するステップと、
前記入力画像に対して、算出した色むら補正値を用いて色むらを補正するステップと、を備え、
前記補正するステップは、前記入力画像の少なくとも一部に適用される色むら補正値を時間的に変化させることを特徴とする画像処理方法。
【発明の詳細な説明】
【技術分野】
【０００１】
本発明は、画像処理装置、表示装置、及び、画像処理方法に関する。
【背景技術】
【０００２】
従来より、ルックアップテーブル（以下、ＬＵＴと表記する）を用いて色むらを補正する装置が知られている（例えば、特許文献１参照）。ＬＵＴに格納された補正値を用いて入力画像を補正する場合、入力画像のすべての画素に対応する補正値を用意すると、大容量のメモリーが必要になるため、回路規模が増大してしまう。このため、ＬＵＴには、一部の画素に対応する補正値を格納し、残りの画素に対する補正値は、ＬＵＴに格納した補正値に基づく補間演算によって算出することが行われている（例えば、特許文献１参照）。特許文献１は、入力された階調値に対応する出力階調値がＬＵＴに格納されていない場合に、ＬＵＴに格納された出力階調値を参照した補間演算を行って、出力階調値を算出している。
【先行技術文献】
【特許文献】
【０００３】
【特許文献１】特開２０１１−２０９５１３号公報
【発明の概要】
【発明が解決しようとする課題】
【０００４】
しかしながら、補間演算によって算出された色むら補正値を用いて、入力画像に対して色むらの補正を行う場合、入力画像によっては、色むら補正値が変化する境界が入力画像の同じ位置となり、補正後の画像を表示した際に境界が視認され、表示画質が低下してしまう場合がある。
本発明は上記事情に鑑みてなされたものであり、一部の画素に対応付けられた色むら補正値を用いて色むらを補正する場合に、色むら補正の精度を向上させることができる画像処理装置、表示装置、及び、画像処理方法を提供することを目的とする。
【課題を解決するための手段】
【０００５】
上記目的を達成するために本発明の画像処理装置は、入力画像の一部の画素に対応する色むら補正値を補間演算して、前記入力画像の各画素に対応する色むら補正値を算出する演算部と、前記入力画像に対して、前記演算部が算出した色むら補正値を用いて色むらを補正する補正部と、を備え、前記補正部は、前記入力画像の少なくとも一部に適用される色むら補正値を時間的に変化させることを特徴とする。
本発明によれば、入力画像の少なくとも一部において値が一定の色むら補正値が適用されるのを防止して、色むら補正値が変化する境界が視認されるのを防止することができる。このため、色むら補正の精度を向上させることができる。
【０００６】
また、本発明は、上記画像処理装置において、前記補正部は、前記入力画像を構成する画素のうち、適用される色むら補正値が変化する境界領域の画素において、前記色むら補正値を時間的に変化させることを特徴とする。
本発明によれば、色むら補正値が変化する境界領域が視認されるのを防止することができる。
【０００７】
また、本発明は、上記画像処理装置において、前記補正部は、前記演算部が算出した色むら補正値と、前記色むら補正値を適用する前記入力画像の画素との対応を変更することを特徴とする。
本発明によれば、入力画像の少なくとも一部において、値が一定の色むら補正値が適用され、色むら補正値が変化する境界が視認されるのを防止することができる。
【０００８】
また、本発明は、上記画像処理装置において、前記補正部は、前記入力画像のフレームに対して色むら補正を行い、前記演算部が算出した色むら補正値と、前記色むら補正値を適用する前記入力画像の画素との対応を時間的に変化させることを特徴とする。
本発明によれば、色むら補正値が変化する境界が視認されるのをより効果的に防止することができる。
【０００９】
また、本発明は、上記画像処理装置において、前記演算部が算出した色むら補正値と、前記色むら補正値を適用する前記入力画像の画素との対応を、予め設定されたフレーム数の前記フレームごとに変更することを特徴とする。
本発明によれば、色むら補正値が変化する境界が視認されるのを防止し、処理を簡略化することができる。
【００１０】
また、本発明は、上記画像処理装置において、前記補正部は、予め設定された範囲の階調値の画素に割り当てる色むら補正値を時間的に変化させ、予め設定された範囲は、前記入力画像の階調の変化に対応する、前記入力画像を表示させる表示パネルを構成する画素の輝度値の変化が予め設定された条件を満たす範囲であることを特徴とする。
本発明によれば、例えば、輝度値の変化が大きい画素値を割り当てられた画素に割り当てる色むら補正値を時間的に変化させることで、補正値が変化する境界が目立たなくなるようにすることができる。
【００１１】
また、本発明は、上記画像処理装置において、前記一部の画素に対応付けられた色むら補正値を記憶するルックアップテーブルを備えることを特徴とする。
本発明によれば、色むら補正値を記憶するルックアップテーブルの容量を削減して、回路規模の増大を防ぐことができる。
【００１２】
本発明の表示装置は、入力画像の一部の画素に対応する色むら補正値を補間演算して、前記入力画像の各画素に対応する色むら補正値を算出する演算部と、前記入力画像に対して、前記演算部が算出した色むら補正値を用いて色むらを補正する補正部と、を備える画像処理部と、前記画像処理部で処理された前記入力画像を表示パネルに表示させる表示部と、を備え、記補正部は、前記入力画像の少なくとも一部に適用される色むら補正値を時間的に変化させることを特徴とする。
本発明によれば、入力画像の少なくとも一部において値が一定の色むら補正値が適用されるのを防止して、色むら補正値が変化する境界が視認されるのを防止することができる。このため、色むら補正の精度を向上させることができる。
【００１３】
本発明の画像処理方法は、入力画像の一部の画素に対応する色むら補正値を補間演算して、前記入力画像の各画素に対応する色むら補正値を算出するステップと、前記入力画像に対して、算出した色むら補正値を用いて色むらを補正するステップと、を備え、前記補正するステップは、前記入力画像の少なくとも一部に適用される色むら補正値を時間的に変化させることを特徴とする。
本発明によれば、入力画像の少なくとも一部において値が一定の色むら補正値が適用されるのを防止して、色むら補正値が変化する境界が視認されるのを防止することができる。このため、色むら補正の精度を向上させることができる。
【図面の簡単な説明】
【００１４】
【図１】プロジェクターの構成図。
【図２】画像処理部の構成図。
【図３】液晶パネルを構成する画素を示す図。
【図４】色むら補正回路の処理を示すフローチャート。
【図５】色むら補正値の液晶パネルの画素への適用パターンを示す図であり、（Ａ）は、第１パターンを示す図、（Ｂ）は、第２パターンを示す図、（Ｃ）は、第１パターン及び第２パターンを適用した場合に、視認される画像を示す図。
【発明を実施するための形態】
【００１５】
図１は、実施形態のプロジェクター１の構成図である。
プロジェクター１は、パーソナルコンピューターや各種映像プレーヤー等の外部の画像供給装置３に接続され、接続した画像供給装置３から入力される画像データに基づく画像を対象物体に投射する装置である。画像供給装置３としては、ビデオ再生装置、ＤＶＤ（Digital Versatile Disk）再生装置、ブルーレイディスク（Blu-ray（登録商標） Disc）再生装置、ハードディスク・レコーダー等が挙げられる。また、画像供給装置３は、テレビチューナー装置、ＣＡＴＶ（Cable television）のセットトップボックス、ビデオゲーム装置等の映像出力装置、パーソナルコンピューターであってもよい。
また、プロジェクター１は、画像を２次元的に表示する２Ｄモードと、画像を３次元的に表現する３Ｄモードとを備える。プロジェクター１は、３Ｄモードにおいて、左右の眼の視差が加味された１対の視差画像の情報を含む画像データ（以下、３次元画像データという）を画像供給装置３から供給されて、この３次元画像データに従って視差画像を投射物体に投射する。本実施形態において、プロジェクター１は、偏光方向がそれぞれ異なる右眼用画像及び左眼用画像をスクリーンＳＣ上に交互に投射する。ユーザーは、アクティブシャッター方式の眼鏡型の立体視装置（不図示）を装着する。立体視装置は、ユーザーが立体画像を見ることができるように右目用のフレームと、左目用のフレームとを交互に表示するフレームシーケンシャル方式の３Ｄ表示を行う。
また、対象物体は、建物や物体など、一様に平らではない物体であってもよいし、スクリーンＳＣや、建物の壁面等の平らな投射面を有するものであってもよい。本実施形態では平面のスクリーンＳＣに投射する場合を例示する。
【００１６】
プロジェクター１は、画像供給装置３に接続するインターフェイスとして、Ｉ／Ｆ（インターフェイス）部２１を備える。Ｉ／Ｆ部２１には、例えば、デジタル映像信号が入力されるＤＶＩインターフェイス、ＵＳＢインターフェイス、ＬＡＮインターフェイス等を用いることができる。また、Ｉ／Ｆ部２１には、例えば、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子等を用いることができる。さらに、Ｉ／Ｆ部２１には、ＨＤＭＩ（登録商標）規格に準拠したＨＤＭＩコネクターや、ディスプレイポート（登録商標）に準拠したディスプレイポートコネクター等の汎用インターフェイスを用いることができる。また、Ｉ／Ｆ部２１は、アナログ映像信号をデジタル画像データに変換するＡ／Ｄ変換回路を有し、ＶＧＡ端子等のアナログ映像端子により画像供給装置３に接続される構成としてもよい。また、Ｉ／Ｆ部２１は、有線通信によって画像信号の送受信を行ってもよく、無線通信によって画像信号の送受信を行ってもよい。
以下の説明では、画像供給装置３からＹＵＶ形式の画像データＤが供給される場合を例に説明する。画像供給装置３から供給されるＹＵＶ形式の画像データＤは、Ｉ／Ｆ部２１を介して画像処理部２５に送られ、画像処理部２５によりフレームメモリー２７に画像が展開される。
【００１７】
プロジェクター１は、大きく分けて光学的な画像の形成を行う表示部１０と、この表示部１０により表示する画像を電気的に処理する画像処理系とを備える。まず、表示部１０について説明する。
【００１８】
表示部１０は、光源部１１、光変調装置１２及び投射光学系１３を備える。
光源部１１は、キセノンランプ、超高圧水銀ランプ、ＬＥＤ（Light Emitting Diode）等からなる光源を備える。また、光源部１１は、光源が発した光を光変調装置１２に導くリフレクター及び補助リフレクターを備える構成としてもよい。また、光源部１１は、投射光の光学特性を高めるために設けられたレンズ群、偏光板、或いは光源が発した光の光量を光変調装置１２に至る経路上で低減させる調光素子等（いずれも不図示）を備えたものであってもよい。
【００１９】
光変調装置１２は、光源部１１から射出された光を画像信号に基づいて変調する変調部に相当する。光変調装置１２は、ＲＧＢの三原色に対応した３枚の液晶パネル（表示パネル）１２ａを用いた構成とする。光変調装置１２は、複数の画素をマトリクス状に配置した透過型の液晶パネル１２ａを備え、光源が発した光を変調する。光変調装置１２は、光変調装置駆動部２３によって駆動され、マトリクス状に配置された各画素における光の透過率を変化させることにより画像を形成する。
また、光変調装置１２は、スクリーンＳＣに３次元画像を形成する場合には、視差画像である右目用画像及び左目用画像を交互に形成する。
【００２０】
投射光学系１３は、投射する画像の拡大・縮小及び焦点の調整を行うズームレンズ、フォーカスの調整を行うフォーカス調整機構等を備える。投射光学系１３は、光変調装置１２で変調された画像光をスクリーンＳＣに投射して結像させる。
【００２１】
表示部１０には、光源駆動部２２、光変調装置駆動部２３、投射光学系駆動部２４が接続される。
光源駆動部２２は、制御部３０の制御に従って光源部１１が備える光源を駆動する。光変調装置駆動部２３は、制御部３０の制御に従って、後述する画像処理部２５から入力される画像信号により光変調装置１２を駆動し、液晶パネル１２ａに画像を描画する。投射光学系駆動部２４は、制御部３０の制御に従って、投射光学系１３が備える各モーターを駆動する。
【００２２】
プロジェクター１の画像処理系は、プロジェクター１を制御する制御部３０を中心に構成される。プロジェクター１は、制御部３０が処理するデータや制御部３０が実行する制御プログラムを記憶した記憶部５４を備える。記憶部５４は、フラッシュメモリー、ＥＥＰＲＯＭ等の不揮発性のメモリーである。また、プロジェクター１は、リモコン５による操作を検出するリモコン受光部５２を備え、操作パネル５１及びリモコン受光部５２を介した操作を検出する入力処理部５３を備える。
制御部３０、入力処理部５３、記憶部５４、無線通信部５５、フレームメモリー２７、画像処理部２５、光源駆動部２２、光変調装置駆動部２３、投射光学系駆動部２４は、バス２９を介して接続される。
【００２３】
制御部３０は、ＣＰＵ３１、ＲＯＭ３２、ＲＡＭ３３等のハードウェアを備え、ＣＰＵ３１がＲＯＭ３２に記憶した基本制御プログラム、及び記憶部５４に記憶された制御プログラムを実行することにより、プロジェクター１を制御する。また、制御部３０は、記憶部５４が記憶する制御プログラムを実行することにより、光源駆動部２２、光変調装置駆動部２３及び画像処理部２５を制御して、画像データＤに基づく画像をスクリーンＳＣに投射させる。また、制御部３０は、画像処理部２５を制御して、画像処理部２５に、解像度変換処理、デジタルズーム処理、ガンマ補正処理、色むら補正処理、輝度補正処理、形状補正処理等の処理を実行させる。
【００２４】
プロジェクター１の本体には、ユーザーの操作を受け付ける、各種スイッチ及びインジケーターランプを備えた操作パネル５１が配置される。操作パネル５１は、入力処理部５３に接続される。入力処理部５３は、制御部３０の制御に従い、プロジェクター１の動作状態や設定状態に応じて操作パネル５１のインジケーターランプを適宜点灯或いは点滅させる。操作パネル５１のスイッチが操作されると、操作されたスイッチに対応する操作信号が入力処理部５３から制御部３０に出力される。
また、プロジェクター１は、ユーザーが使用するリモコン５を有する。リモコン５は各種のボタンを備えており、これらのボタンの操作に対応して赤外線信号を送信する。プロジェクター１の本体には、リモコン５が発する赤外線信号を受光するリモコン受光部５２が配置される。リモコン受光部５２は、リモコン５から受光した赤外線信号をデコードして、リモコン５における操作内容を示す操作信号を生成し、制御部３０に出力する。
【００２５】
画像処理部２５は、制御部３０の制御に従って画像データＤを取得し、取得した画像データＤについて、画像サイズや解像度、静止画像か動画像であるか、動画像である場合はフレームレート、３次元画像データであるか等の属性を判定する。
画像処理部２５は、画像データＤをフレームメモリー２７にフレーム毎に展開し、展開した画像データＤに対して画像処理を実行する。例えば、画像処理部２５は、画像処理として、フレームメモリー２７に展開した画像のフォーマット（形式）がＹＵＶである場合に、画像データＤのフォーマット変換を行う。また、画像処理部２５は、取得した画像データＤが３次元画像データである場合、左目用画像データと、右目用画像データとをフレームメモリー２７にそれぞれ展開して、展開した画像に対して画像処理を行う。また、画像処理部２５は、画像処理として、例えば、解像度変換処理、ガンマ補正処理、色むら補正処理、輝度補正処理、形状補正処理等の処理を実行する。また、画像処理部２５は、上記の複数の処理を組み合わせて実行することも勿論可能である。
画像処理部２５は、処理後の画像をフレームメモリー２７から読み出して、この画像に対応するＲ、Ｇ、Ｂの画像信号を生成し、光変調装置駆動部２３に出力する。
【００２６】
また、プロジェクター１は、無線通信部５５を備える。無線通信部５５は、図示しないアンテナやＲＦ（Radio Frequency）回路等を備え、制御部３０の制御の下、外部の装置との間で無線通信を実行する。無線通信部５５の無線通信方式は、例えば無線ＬＡＮ（Local Area Network）、Bluetooth（登録商標）、ＵＷＢ（Ultra Wide Band)、赤外線通信等の近距離無線通信方式、或いは、携帯電話回線を利用した無線通信方式を採用できる。
【００２７】
図２は、画像処理部２５の構成図である。
画像処理部２５は、制御部３０の制御に基づいて、画像処理部２５がフレームメモリー２７に展開した画像データに対して、ガンマ補正、色むら補正等の画像処理を行う。画像処理部２５は、色変換回路１１０と、画像処理回路１２０と、ガンマ補正回路１３０と、色むら補正回路１４０とを備える。
【００２８】
色変換回路１１０は、ＹＵＶ形式の画像データＤに対して色変換を行い、ＲＧＢ形式の画像データ（以下、画像データ３０１Ｒ、３０１Ｇ、３０１Ｂと表記する）を生成する。色変換回路１１０は、生成した画像データ３０１Ｒ、３０１Ｇ、３０１Ｂを画像処理回路１２０に出力する。なお、本実施形態では、ＲＧＢ形式の画像データ３０１Ｒ、３０１Ｇ、３０１Ｂに対する処理として説明するが、画像データの形式は、ＲＧＢに限定されるものではない。例えば、ＹＵＶ等の一般的に知られた形式の画像データであり、プロジェクター１で処理可能な形式であればよい。
【００２９】
画像処理回路１２０は、画像データ３０１Ｒ、３０１Ｇ、３０１Ｂに対して、解像度変換処理、形状補正処理等の処理を実行する。解像度変換処理により、画像データ３０１Ｒ、３０１Ｇ、３０１Ｂの解像度（画素数）が、液晶パネル１２ａの解像度（画素数）に一致する。
画像処理回路１２０は、画像処理後の画像データ３０２Ｒ、３０２Ｇ、３０２Ｂをガンマ補正回路１３０に出力する。
【００３０】
ガンマ補正回路１３０は、画像データ３０２Ｒ、３０２Ｇ、３０２Ｂの有する階調値を液晶パネル１２ａで表示するのに適した階調値に変換する。
ガンマ補正回路１３０は、画像データ３０２Ｒ、３０２Ｇ、３０２Ｂそれぞれのガンマ補正に用いるガンマ補正値を記憶するガンマＬＵＴ１３１〜１３３を備える。ガンマ補正回路１３０は、入力された画像データ３０２Ｒ、３０２Ｇ、３０２Ｂの階調値に応じたガンマＬＵＴ１３１〜１３３のアドレスをそれぞれに指定して、ガンマ補正値を読み込み、ガンマ補正後の画像データ３０３Ｒ、３０３Ｇ、３０３Ｂを色むら補正回路１４０に出力する。なお、以下では、画像データ３０３Ｒ、３０３Ｇ、３０３Ｂを特に区別する必要がない場合には、画像データ３０３と表記する。
【００３１】
色むら補正回路１４０は、ガンマ補正回路１３０から入力される画像データ３０３（入力画像）に対し、液晶パネル１２ａ固有の色むらを補正する色むら補正処理を行う。
色むら補正回路１４０は、色むら補正ＬＵＴ１４１〜１４３、補間演算回路１４５、補正回路１４７を備える。色むら補正ＬＵＴ１４１は、画像データ３０３Ｒに対する色むら補正に使用する色むら補正値を記憶する。色むら補正ＬＵＴ１４２は、画像データ３０３Ｇに対する色むら補正に使用する色むら補正値を記憶する。色むら補正ＬＵＴ１４３は、画像データ３０３Ｂに対する色むら補正に使用する色むら補正値を記憶する。補間演算回路１４５は、色むら補正ＬＵＴ１４１〜１４３が記憶する色むら補正値を用いて、画像データ３０３Ｒ、３０３Ｇ、３０３Ｂの各画素に適用する色むら補正値を補間演算により算出する。
補正回路１４７は、補間演算回路１４５が算出した色むら補正値と、色むら補正値を適用する画像データ３０３の画素との対応を変更することで、画像データ３０３の少なくとも一部に適用される色むら補正値を時間的に変化させる。
なお、図２には、補間演算回路１４５と、補正回路１４７とをそれぞれ１つずつ設けた構成を図示したが、補間演算回路１４５及び補正回路１４７は、画像データ３０３Ｒ、３０３Ｇ、３０３Ｂのそれぞれに対応して複数設けてもよい。
【００３２】
図３は、液晶パネル１２ａの備える画素を示す図である。
色むら補正ＬＵＴ１４１〜１４３は、各液晶パネル１２ａを構成する画素のうち、一部の画素である代表画素に設定された色むら補正値を記憶する。図３に示す黒色の画素が、代表画素を示す。代表画素は、液晶パネル１２ａの水平方向及び垂直方向に所定の画素間隔をおいて設定される。代表画素の水平方向と垂直方向の画素間隔は同一である必要はなく、液晶パネル１２ａの水平方向及び垂直方向の画素数に応じて任意に設定できる。
【００３３】
色むら補正ＬＵＴ１４１〜１４３が記憶する情報は、代表画素の画素番号と、当該画素に設定された色むら補正値とを含む。
画素番号は、例えば、液晶パネル１２ａの左上を原点とした、水平方向及び垂直方向の画素を識別する番号である。色むら補正値は、入力される画像データ３０３Ｒ、３０３Ｇ、３０３Ｂの各階調に対応した色むら補正値を、対応する色むら補正ＬＵＴ１４１〜１４３に記憶させておく構成でもよい。また、画像データ３０３Ｒ、３０３Ｇ、３０３Ｂの一部の階調に対応する色むら補正値を、対応する色むら補正ＬＵＴ１４１〜１４３に記憶させておく構成であってもよい。一部の階調に対応する色むら補正値を色むら補正ＬＵＴ１４１〜１４３に記憶させた構成であって、入力された画像データ３０３の階調に対応する色むら補正値が色むら補正ＬＵＴ１４１〜１４３に記憶されていない場合、補間演算回路１４５による補間演算により、対応する階調の色むら補正値をそれぞれ算出する。
また、各色むら補正ＬＵＴ１４１〜１４３が色むら補正値を記憶する代表画素は、すべて同一の画素位置の画素であってもよいし、異なる位置の画素であってもよい。
なお、解像度変換処理により、画像データ３０３Ｒ、３０３Ｇ、３０３Ｂの解像度（画素数）は、液晶パネル１２ａの解像度（画素数）に一致する。このため、以下の説明では、液晶パネル１２ａの画素ではなく、画像データ３０１Ｒ、３０１Ｇ、３０１Ｂの画素として説明する。
【００３４】
図４は、色むら補正回路１４０の処理を示すフローチャートである。
色むら補正回路１４０は、制御部３０から色むら補正の開始を指示する指示信号が入力され（ステップＳ１／ＹＥＳ）、ガンマ補正回路１３０から画像データ３０３が入力されると（ステップＳ２／ＹＥＳ）、処理を開始する。
制御部３０は、Ｉ／Ｆ部２１を介して画像データＤが入力されると、入力された画像データＤの属性情報を取得して、色むら補正回路１４０に通知する。画像データＤの属性の解析は、画像処理部２５で行ってもよいし、Ｉ／Ｆ部２１で行ってもよい。また、画像供給装置３から画像データＤと共に属性を示すデータを取得してもよい。属性には、例えば、画像データの形式や、サイズ、解像度、静止画像か動画像であるか、また、動画像である場合はフレームレート、３次元画像データであるか等が含まれる。
【００３５】
色むら補正回路１４０は、制御部３０から入力される属性情報に従って処理を行う。色むら補正回路１４０は、制御部３０から入力された属性情報により画像データＤが３次元画像データではないと判定すると（ステップＳ３／ＮＯ）、入力された画像データ３０３Ｒ、３０３Ｇ、３０３Ｂに基づいて色むら補正ＬＵＴ１４１〜１４３を参照し、各色むら補正ＬＵＴ１４１〜１４３に記憶された代表画素の色むら補正値を読み出す（ステップＳ４）。以下の説明では、色むら補正ＬＵＴ１４１〜１４３は、画像データ３０３Ｒ、３０３Ｇ、３０３Ｂの各階調に対応した色むら補正値を記憶しているとして説明する。
【００３６】
補間演算回路１４５は、画像データ３０３の処理の対象に選択した画素（以下、選択画素という）に対応する色むら補正値が、色むら補正ＬＵＴ１４１〜１４３に記憶されている場合、選択画素の階調値に対応する色むら補正値を読み出す。
また、補間演算回路１４５は、選択画素に対応する色むら補正値が、色むら補正ＬＵＴ１４１〜１４３に記憶されていない場合、図３に示すように、選択画素の周囲の代表画素の色むら補正値を読み出す。補間演算回路１４５は、読み出した代表画素の色むら補正値を補間演算して、画像データ３０３の各画素に適用する色むら補正値を算出する（ステップＳ５）。補間演算回路１４５は、例えば、選択画素の周囲に配置されている幾つかの代表画素の色むら補正値のそれぞれに対して、選択画素から各代表画素までの距離に応じた重みを付けて、重み付けがなされた各色むら補正値の総和を選択画素の色むら補正値として算出する。補間演算回路１４５の補間方法は、線形補間に限定されるものではなく、例えば、バイキュービック補間やニアレストネイバー補間等を用いることもできる。
補間演算回路１４５は、上記処理を画像データ３０３Ｒ、３０３Ｇ、３０３Ｂのすべての画素について行い、画像データ３０３Ｒ、３０３Ｇ、３０３Ｂの各画素に適用する色むら補正値を算出する。
【００３７】
次に、補正回路１４７は、画像データ３０３に対し、補間演算回路１４５が画素ごとに算出した色むら補正値を用いて色むらを補正する。補正回路１４７は、補間演算回路１４５が算出した色むら補正値と、色むら補正値を適用する画像データ３０３の画素との対応を変更する。
【００３８】
図５は、色むら補正値の画像データ３０３の画素への適用パターンを示す図であり、図５（Ａ）は、第１パターンを示す図、図５（Ｂ）は、第２パターンを示す図である。
図５（Ａ）に示す第１パターンは、画像データ３０３の左上の原点から水平方向に２つ目、垂直方向に２つ目の画素に、代表画素Ａの色むら補正値を適用したパターンである。第１パターンは、補間演算回路１４５が画像データ３０３の画素ごとに算出した色むら補正値をそのまま適用したパターンである。図５（Ａ）及び（Ｂ）に示す黒べたの画素が代表画素の色むら補正値を示す。また、図５（Ａ）に示す代表画素Ｘの色むら補正値を「１」とし、その周囲の代表画素Ａ〜Ｈの色むら補正値を「０」とした場合に、代表画素Ｘの色むら補正値「１」の影響が及ぶ画素領域２０１を斜線のハッチングで示す。なお、代表画素Ｘの色むら補正値「１」の影響が及ぶ画素領域２０１とは、前述した選択画素の周囲の代表画素として代表画素Ｘが選択され、選択画素の色むら補正値に、代表画素Ｘの色むら補正値が反映される領域である。
図５（Ｂ）に示す第２パターンは、画像データ３０３の左上の原点から水平方向に４つ目、垂直方向に３つ目の画素に、代表画素Ａの色むら補正値を適用したパターンである。図５（Ｂ）に示す代表画素Ｘの色むら補正値を「１」とし、その周囲の代表画素Ａ〜Ｈの色むら補正値を「０」とした場合に、代表画素Ｘの色むら補正値「１」の影響が及ぶ画素領域２０２を斜線のハッチングで示す。
【００３９】
補正回路１４７は、画像データ３０３に対して、第１パターンと第２パターンとを交互に適用して、色むらを補正する。補正回路１４７は、Ｓ５で各画素の色むら補正値の算出の際に用いた画像データ３０３に、第１パターンで色むら補正値を適用して、色むらを補正する（ステップＳ６）。次に、補正回路１４７は、Ｓ５で各画素の色むら補正値の算出の際に用いた画像データ３０３の次のフレームの画像データ３０３に対して、第２パターンで色むら補正値を適用して、色むらを補正する（ステップＳ７）。
【００４０】
図５（Ｃ）は、画像データ３０３に第１パターン及び第２パターンを適用した場合に、視認される画像を示す図である。
画素領域２０３は、画像データ３０３に対して、第１パターンで色むら補正値を適用した場合であっても、第２パターンで色むら補正値を適用した場合であっても、代表画素Ｘの補正値「１」の影響が及ぶ範囲である。
また、画素領域２０４は、第１パターンで色むら補正値を適用した場合に代表画素Ｘの補正値「１」の影響が及び、第２パターンで色むら補正値を適用した場合に代表画素Ｘの補正値「１」の影響が及ばない範囲である。画素領域２０４は、適用される色むら補正値が時間的に変化し、ユーザーには、２フレームに１回の割合で、代表画素Ｘの補正値「１」により補正された画像が視認される。
また、画素領域２０５は、第１パターンで色むら補正値を適用した場合に代表画素Ｘの補正値「１」の影響が及ばず、第２パターンで色むら補正値を適用した場合に代表画素Ｘの補正値「１」の影響が及ぶ範囲である。画素領域２０５は、適用される色むら補正値が時間的に変化し、ユーザーには、２フレームに１回の割合で、代表画素Ｘの補正値「１」により補正された画像が視認される。
【００４１】
画素領域２０４及び２０５は、画素領域２０３の周囲に位置する。また、画素領域２０４及び２０５は、画素領域２０３と、代表画素Ｘの補正値「１」の影響が及ばない画素領域（図５（Ｃ）においてハッチングが施されていない画素領域）との境界領域に位置する。すなわち、画素領域２０４及び２０５は、色むら補正値が変化する境界領域に位置している。画素領域２０４及び２０５が、画素領域２０３の周囲に位置することで、値が異なる色むら補正値が適用される画素の境界における色みの変化を緩やかにして、値の異なる色むら補正値が適用される画素の境界を目立ち難くすることができる。
また、画像データ３０３のフレームごとに、第１パターンと第２パターンとを交互に適用することで、画像データ３０３の画素値（階調値）に変化がない場合であっても、画像データ３０３の同一位置の画素に適用される色むら補正値は時間的に変化する。
【００４２】
次に、補正回路１４７は、ガンマ補正回路１３０からの画像データ３０３の入力が終了したか否かを判定する（ステップＳ８）。否定判定の場合（ステップＳ８／ＮＯ）、色むら補正回路１４０は、ステップＳ４からの処理を繰り返す。また、肯定判定の場合（ステップＳ８／ＹＥＳ）、色むら補正回路１４０は、処理を終了する。
【００４３】
次に、属性情報により画像データが３次元画像データであると判定した場合（ステップＳ３／ＹＥＳ）の色むら補正回路１４０の処理について説明する。
また、色むら補正回路１４０は、属性情報により画像データが３次元画像データであると判定すると（ステップＳ３／ＹＥＳ）、色むら補正ＬＵＴ１４１〜１４３から代表画素の色むら補正値を補間演算回路１４５が読み出す（ステップＳ９）。そして、補間演算回路１４５は、読み出した代表画素の色むら補正値を補間演算して、画像データ３０３Ｒ、３０３Ｇ、３０３Ｂの各画素に適用する色むら補正値を算出する（ステップＳ１０）。その後、補正回路１４７は、画像データ３０３の各画素に第１パターンで色むら補正値を適用して、画像データ３０３に対して色むら補正を行う（ステップＳ１１）。画像データ３０３が３次元画像データである場合、１つのパターンで色むら補正値を画像データ３０３の各画素に適用して色むらを補正する。
画像データが３次元画像データである場合、アクティブシャッター方式の眼鏡型の立体視装置をユーザーに装着させ、ユーザーに立体画像が見えるように右目用のフレームと、左目用のフレームとを交互に表示するフレームシーケンシャル方式の３Ｄ表示を行う。このような構成である場合、画像の少なくとも一部に適用される色むら補正値を時間的に変化させなくてもよい。
そして、補正回路１４７は、ガンマ補正回路１３０から画像データ３０３の入力が終了したか否かを判定する（ステップＳ１２）。否定判定の場合（ステップＳ１２／ＮＯ）、色むら補正回路１４０は、ステップＳ９からの処理を繰り返す。また、肯定判定の場合（ステップＳ１２／ＹＥＳ）、色むら補正回路１４０は、処理を終了する。
【００４４】
画像処理部２５は、処理後の画像データをフレームメモリー２７から読み出して、読み出した画像データに対応するＲ、Ｇ、Ｂの画像信号を生成し、光変調装置駆動部２３に出力する。光変調装置駆動部２３は、制御部３０の制御に従って、画像処理部２５から入力される画像信号に基づいて光変調装置１２を駆動し、液晶パネル１２ａに画像を描画する。液晶パネル１２ａにより描画された画像は、投射光学系１３によりスクリーンＳＣに投射される。
【００４５】
上述の説明では、色むら補正値と、色むら補正値を適用する画像データ３０３の画素との対応を、画像データ３０３の全画素で変更したが、画像データ３０３の一部の画素で、色むら補正値と、色むら補正値を適用する画像データ３０３の対応を変更してもよい。例えば、補正回路１４７が、色むら補正値を時間的に変化させる画像データ３０３の画素を選択するようにしてもよい。具体的には、補正回路１４７は、予め設定された範囲の階調値の画素を選択して、この画素に割り当てる色むら補正値を時間的に変化させる。予め設定された範囲とは、画像データの階調値の変化に対する液晶パネル１２ａの画素の輝度の変化が予め設定されたしきい値よりも大きい範囲である。例えば、画像データの画素値（階調値）を１００から１０１に変更した場合に、液晶パネル１２ａの有する画素の輝度値の変化が所定値よりも大きくなる場合に、補正回路１４７は、この画素値に設定された画素に対応付ける色むら補正値を時間的に変化させる。
【００４６】
以上説明したように、本発明を適用した実施形態の画像処理部２５は、補間演算回路１４５と、補正回路１４７とを備える。補間演算回路１４５は、画像データ３０３Ｒ、３０３Ｇ、３０３Ｂの一部の画素に対応する色むら補正値を補間演算して、画像データ３０３Ｒ、３０３Ｇ、３０３Ｂの各画素に対応する色むら補正値を算出する。補正回路１４７は、画像データ３０３Ｒ、３０３Ｇ、３０３Ｂに対して、補間演算回路１４５が算出した色むら補正値を用いて色むらを補正する。また、補正回路１４７は、画像データ３０３Ｒ、３０３Ｇ、３０３Ｂの少なくとも一部に適用される色むら補正値を時間的に変化させる。従って、画像データ３０３Ｒ、３０３Ｇ、３０３Ｂの少なくとも一部において値が一定の色むら補正値が適用されるのを防止して、色むら補正値が変化する境界が視認されるのを防止することができる。このため、色むら補正の精度を向上させることができる。
【００４７】
また、補正回路１４７は、画像データ３０３Ｒ、３０３Ｇ、３０３Ｂを構成する画素のうち、適用される色むら補正値が変化する境界領域の画素において、色むら補正値を時間的に変化させること。従って、色むら補正値が変化する境界領域が視認されるのを防止することができる。
【００４８】
また、補正回路１４７は、補間演算回路１４５が算出した色むら補正値と、色むら補正値を適用する画像データ３０３Ｒ、３０３Ｇ、３０３Ｂの画素との対応を変更する。従って、画像データ３０３Ｒ、３０３Ｇ、３０３Ｂの少なくとも一部において、値が一定の色むら補正値が適用され、色むら補正値が変化する境界が視認されるのを防止することができる。
【００４９】
また、補正回路１４７は、画像データ３０３Ｒ、３０３Ｇ、３０３Ｂのフレームに対して色むら補正を行い、補間演算回路１４５が算出した色むら補正値と、色むら補正値を適用する画像データ３０３Ｒ、３０３Ｇ、３０３Ｂの画素との対応を時間的に変化させる。従って、色むら補正値が変化する境界が視認されるのをより効果的に防止することができる。
【００５０】
また、補間演算回路１４５が算出した色むら補正値と、色むら補正値を適用する画像データ３０３Ｒ、３０３Ｇ、３０３Ｂの画素との対応を、予め設定されたフレーム数のフレームごとに変更する。従って、色むら補正値が変化する境界が視認されるのを防止し、処理を簡略化することができる。
【００５１】
また、補正回路１４７は、予め設定された範囲の階調値の画素に割り当てる色むら補正値を時間的に変化させる。予め設定された範囲は、画像データ３０３Ｒ、３０３Ｇ、３０３Ｂの階調の変化に対応する、画像データ３０３Ｒ、３０３Ｇ、３０３Ｂを表示させる液晶パネル１２ａを構成する画素の輝度値の変化が予め設定された条件を満たす範囲である。従って、例えば、輝度値の変化が大きい画素値を割り当てられた画素に割り当てる色むら補正値を時間的に変化させることで、補正値が変化する境界が目立たなくなるようにすることができる。
【００５２】
また、画像処理部２５は、一部の画素に対応付けられた色むら補正値を記憶する色むら補正ＬＵＴ１４１〜１４３を備える。従って、色むら補正値を記憶するルックアップテーブルの容量を削減して、回路規模の増大を防ぐことができる。
【００５３】
上述した各実施形態は本発明を適用した具体的態様の例に過ぎず、本発明を限定するものではなく、上記実施形態とは異なる態様として本発明を適用することも可能である。
例えば、上述した説明では、画像データ３０３に対し、第１パターンと、第２パターンとを１フレームごとに交互に適用する例を示したが、第１パターンを複数回（例えば２回）適用した後に、第２パターンを複数回（例えば２回）適用するようにしてもよい。また、適用するパターンの数は、第１パターンと第２パターンとの２つに限られず、さらに多くのパターンを設けてもよい。例えば、第１〜第４パターンを設けて、第１〜第４パターンを、４フレームに１回ずつ適用するようにしてもよい。例えば、第１パターンは、図５（Ａ）に示すパターンとする。また、第２パターンは、色むら補正値を、第１パターンに対して水平方向に所定画素（例えば、右方向に３画素）ずらしたパターンとする。また、第３パターンは、色むら補正値を、第２パターンに対して垂直方向に所定画素（例えば、下方向に３画素）ずらしたパターンとする。また、第４パターンは、色むら補正値を、第３パターンに対して水平方向に所定画素（例えば、左方向に３画素）ずらしたパターンとする。
また、最初の４フレームでは、第１パターンと第２パターンとを交互に適用して、次の４フレームでは、第３パターンと第４パターンとを交互に適用するようにしてもよい。
また、上述した実施形態では、色むらを補正する場合を例に説明したが、輝度むらを補正する場合にも同様の処理により補正することができる。
【００５４】
また、上記実施形態では、光源が発した光を変調する光変調装置１２として、ＲＧＢの各色に対応した３枚の透過型の液晶パネル１２ａを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。又は、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネル又はＤＭＤを用いる場合には、クロスダイクロイックプリズム等の合成光学系に相当する部材は不要である。また、液晶パネル及びＤＭＤ以外にも、光源が発した光を変調可能な光変調装置であれば問題なく採用できる。
【００５５】
また、上記実施形態では、画像処理装置を搭載した装置として、スクリーンＳＣの前方から投射するフロントプロジェクション型のプロジェクター１を示したが、本発明はこれに限定されない。例えば、スクリーンＳＣの背面側から投射するリアプロジェクション（背面投射）型のプロジェクターを表示装置として採用できる。また、液晶ディスプレイ、有機ＥＬ（Electro Luminescence）ディスプレイ、プラズマディスプレイ、ＣＲＴ（陰極線管）ディスプレイ、ＳＥＤ（Surface-conduction Electron-emitter Display）等を表示装置として用いることができる。
また、図１及び図２に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１の他の各部の具体的な細部構成についても、本発明の趣旨を逸脱しない範囲で任意に変更可能である。
【符号の説明】
【００５６】
１…プロジェクター（表示装置）、３…画像供給装置、１０…表示部、１１…光源部、１２…光変調装置、１２ａ…液晶パネル、１３…投射光学系、２２…光源駆動部、２３…光変調装置駆動部、２４…投射光学系駆動部、２５…画像処理部（画像処理装置）、２７…フレームメモリー、３０…制御部、３１…ＣＰＵ、３２…ＲＯＭ、３３…ＲＡＭ、５１…操作パネル、５２…リモコン受光部、５３…入力処理部、５４…記憶部、５５…無線通信部、１１０…色変換回路、１２０…画像処理回路、１３０…ガンマ補正回路、１４０…色むら補正回路、１４１〜１４３…色むら補正ＬＵＴ、１４５…補間演算回路（演算部）、１４７…補正回路（補正部）、ＳＣ…スクリーン。
【図１】
2016156912.tif 000003
【図２】
2016156912.tif 000004
【図３】
2016156912.tif 000005
【図４】
2016156912.tif 000006
【図５】
2016156912.tif 000007